【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
可撓性部材をガイドするための装置であって、
ドラム軸の周りの回転のために搭載されたドラムと、
プーリ軸の周りの回転のために搭載されたプーリであり、前記ドラム軸と前記プーリ軸の間で延伸している最短仮想線が、前記ドラム軸と前記プーリ軸の両者に直角で、前記プーリの固定直径方向平面に実質的に位置している配置において、前記プーリ軸は、前記ドラム軸から離間され、且つ前記ドラム軸に対して傾斜しているプーリと、を備え、
前記装置は、前記可撓性部材の経路を画定し、該可撓性部材経路は順番に、前記ドラム軸に直角な第１固定ドラム直径方向平面上の前記ドラム外周の第１部分の周りの第１ドラム巻き付き部分と、前記ドラムと前記プーリの間の第１接続部分と、前記プーリ軸に直角な固定プーリ直径方向平面上の前記プーリ外周の一部分の周りのプーリ巻き付き部分と、前記プーリと前記ドラムの間の第２接続部分と、前記ドラム軸に直角、且つ前記第１ドラム直径方向平面から軸方向に離間されている第２固定ドラム直径方向平面上の前記ドラム外周の第２部分の周りの第２ドラム巻き付き部分と、を含み、
前記装置は、前記第１および第２接続部分が、前記第１および第２固定ドラム直径方向平面上のそれぞれに位置し、前記第１および第２接続部分は両者とも、前記プーリの前記固定直径方向平面上に位置するように配置され、
使用するとき、前記可撓性部材に接触して前記ドラムと前記プーリが、前記ドラム軸と前記プーリ軸のそれぞれの周りを回転するときに、前記ドラムとプーリの相対的な配置は、
前記第１および第２ドラム巻き付き部分が、各ドラムの固定されて軸方向に離間されている前記第１および第２固定直径方向平面上に実質的に留まり、
前記第１および第２接続部分は、前記ドラムの前記第１および第２固定直径方向平面上のそれぞれと、前記プーリの前記固定直径方向平面上に実質的に留まり、
前記第１プーリ巻き付き部分は、前記プーリの前記固定直径方向平面上に実質的に留まるようにされていることを特徴とする装置。
【請求項２】
前記第１および第２接続部分は、前記プーリの前記固定直径方向平面において互いに平行であることを特徴とする請求項１に記載の装置。
【請求項３】
前記プーリ巻き付き部分は、前記プーリ外周の周りを１８０度延伸していることを特徴とする請求項１または２に記載の装置。
【請求項４】
前記ドラムとプーリの少なくとも１つは、前記可撓性部材の前記ドラムおよび／またはプーリ巻き付き部分の領域において溝が設けられているか、または他の可撓性部材保持手段が設けられていることを特徴とする請求項１から３のいずれか１項に記載の装置。
【請求項５】
前記プーリの半径は、前記ドラムの半径よりも大きいことを特徴とする請求項１から４のいずれか１項に記載の装置。
【請求項６】
請求項１から５のいずれか１項に記載の装置が複製され、前記少なくとも２つのドラムと、その各プーリは、前記可撓性部材経路に沿って、共通の可撓性部材をガイドするためのものであることを特徴とする装置。
【請求項７】
前記第１ドラム上の前記可撓性部材の、前記第１および第２ドラム巻き付き部分の１つと、前記第２ドラム上の前記可撓性部材の、前記第１および第２ドラム巻き付き部分の１つの間の第３接続部分を備え、前記第３接続部分は、前記可撓性部材の前記接続されたドラム巻き付き部分の前記直径方向平面に位置することを特徴とする請求項６に記載の装置。
【請求項８】
前記第１および第２プーリの前記軸は、対応する第１および第２ドラムに対して同じ方向に傾斜していることを特徴とする請求項６または７に記載の装置。
【請求項９】
請求項１から５のいずれか１項に記載の装置が複製され、前記少なくとも２つのプーリは、共通ドラムの前記ドラム軸に沿って離間されていることを特徴とする装置。
【請求項１０】
前記第１プーリおよび前記共通ドラム上の前記巻き付き部分を含む第１可撓性部材経路上の第１可撓性部材と、前記第２プーリおよび前記共通ドラム上の前記巻き付き部分を含む第２可撓性部材経路に沿って第２可撓性部材と、をガイドすることを特徴とする請求項９に記載の装置。
【請求項１１】
前記プーリは、前記共通ドラムの周りで、互いから周方向に離間されていることを特徴とする請求項１０に記載の装置。
【請求項１２】
前記第１可撓性部材経路の前記第１および第２ドラム巻き付き部分の少なくとも１つは、前記第２可撓性部材経路の前記第１および第２ドラム巻き付き部分の間に介在されていることを特徴とする請求項１０または１１に記載の装置。
【請求項１３】
前記第１および第２プーリの前記軸が、前記ドラムに対して反対方向に傾斜するように配置されていることを特徴とする請求項９から１１のいずれか１項に記載の装置。
【請求項１４】
１つのまたは各ドラムに関連付けられている１つ以上の追加のプーリを含み、各追加のプーリは、前記関連付けられているドラムのそれぞれの固定直径方向平面上において、軸方向に離間されている第１および第２ドラム巻き付き部分の一対を形成することを特徴とする請求項１から１３のいずれか１項に記載の装置。
【請求項１５】
少なくとも１つのドラムに関連付けられている前記少なくとも２つのプーリは、同じ方向に、且つ前記関連付けられているドラムの前記回転軸に対して同じ角度で傾斜され、それにより、各プーリの回転軸は、互いに平行で、互いからオフセットされるように配置されていることを特徴とする請求項１４に記載の装置。
【請求項１６】
前記可撓性部材経路は、前記第１および第２ドラム巻き付き部分と、少なくとも２つのプーリのプーリ巻き付き部分と、を含み、それらは、共通の可撓性部材により同時回転されることを特徴とする請求項１４または１５に記載の装置。
【請求項１７】
前記プーリの少なくとも２つは、互いに異なる半径を有していることを特徴とする請求項６から１６のいずれか１項に記載の装置。
【請求項１８】
１つのまたは各プーリの前記傾斜角と、前記対応するドラムの前記半径に対する前記プーリの前記半径は組立時に、１つのまたは各プーリにより画定されている前記可撓性部材経路に関連付けられている前記第１ドラム巻き付き部分と第２ドラム巻き付き部分の間の軸方向の間隔を調整できるように調整可能であることを特徴とする請求項１から１７のいずれか１項に記載の装置。
【請求項１９】
１つのまたは各ドラムは、前記可撓性部材の前記ドラム巻き付き部分が位置する１つのまたは各ドラムの前記固定直径方向平面の前記領域において、縮小された直径または増大された直径を有していることを特徴とする請求項１から１８のいずれか１項に記載の装置。
【請求項２０】
１つのまたは各可撓性部材上の張力を維持する手段を含むことを特徴とする請求項１から１９のいずれか１項に記載の装置。
【請求項２１】
海の波と共に動く１つ以上のブイ部材に取り付けられている１つ以上の可撓性部材の長手方向の運動を、１つのまたは各ドラムの回転運動に変換して電気を生成するように、請求項１から２０のいずれか１項に記載の装置を備える波力発電システム。
【請求項２２】
前記可撓性部材の少なくとも一端に接続されている負荷を、少なくとも１つのドラムおよび／または少なくとも１のプーリの回転運動により巻き揚げるために、請求項１から２０のいずれか１項に記載の装置を備えるウインチ。